(57)【特許請求の範囲】
【請求項１】
顧客の注文を入力する注文端末と顧客の注文を管理する管理端末とを有するオーダエントリシステムにおいて、
前記注文端末は、入力モードとして、店員が操作するスタッフモードと前記顧客が操作する顧客モードとのいずれかで動作し、前記スタッフモードで入力された少なくとも卓番を含む前記顧客の初期情報のみを前記管理端末に送信し、前記管理端末で新規オーダとして受け付けられると、新規オーダとして受け付けられたことを契機として、自動的に前記入力モードが前記スタッフモードから前記顧客モードに移行して注文入力が可能となることを特徴とするオーダエントリシステム。
【請求項２】
前記顧客モードへの移行時に注文された注文品の会計処理が終了すると、前記管理端末での新規オーダ受け付けの際に設定された前記卓番と前記注文端末の端末番号との紐付けが開放され、前記注文端末は、前記スタッフモードで起動する請求項１に記載のオーダエントリシステム。
【請求項３】
前記管理端末は、前記注文端末の端末番号毎に、設定されている卓番で起動する通常据置モードと前記スタッフモードのいずれで起動するかの端末モードや、前記通常据置モードで起動する場合の卓番を設定した端末情報を記憶し、
前記注文端末は、電源投入されて前記管理端末に接続されると、自身の前記端末情報を取得し、前記スタッフモードで立ち上がるように設定されていると、前記スタッフモードで起動し、前記顧客モードへの移行後に注文された注文品の会計処理が終了すると、前記端末モードの判定を行い、前記端末モードが前記スタッフモードである場合、前記管理端末へ前記卓番と自身の端末番号との紐付け開放要求を行い、前記管理端末での紐付け開放処理後、前記スタッフモードで起動する請求項２に記載のオーダエントリシステム。
【請求項４】
前記管理端末は、前記顧客の初期情報を受信して、入力すべき情報が入力されていない等の異常がないかを確認し、異常がなければ新規オーダとして受け付ける、請求項１乃至３のずれか１つに記載のオーダエントリシステム。
【請求項５】
前記注文端末は、飲食モードとして、「通常モード」もしくは「放題モード」を前記顧客の初期情報として選択可能で、選択に応じた画面を表示することを特徴とする、請求項１乃至４のいずれか１つに記載のオーダエントリシステム。
【請求項６】
前記顧客の初期情報として、１組の顧客の総人数、当該顧客中の未成年者の人数、及び当該顧客中のドライバーの人数を入力し、
前記１組の顧客の総人数が、前記顧客中の未成年者の人数と前記顧客中のドライバーの人数とを合わせた人数に等しければ、前記注文端末の画面に表示するメニューを制限する、 請求項１乃至５のいずれか１つに記載のオーダエントリシステム。
【請求項７】
顧客の注文を入力する注文端末と顧客の注文を管理する管理端末とを有するオーダエントリシステムにおいて、
入力モードとして、店員が操作するスタッフモードと前記顧客が操作する顧客モードとのいずれかで動作する、前記注文端末の前記入力モードを切り替える方法であって、
前記スタッフモードで入力された少なくとも卓番を含む前記顧客の初期情報のみが前記管理端末に送信され、前記管理端末で新規オーダとして受け付けられると、新規オーダとして受け付けられたことを契機として、自動的に前記入力モードを前記スタッフモードから前記顧客モードに切り替えて注文入力が可能となることを特徴とする注文端末入力モード切替方法。
【請求項８】
前記顧客モードへの移行時に注文された注文品の会計処理が終了すると、前記管理端末での新規オーダ受け付けの際に設定された前記卓番と前記注文端末の端末番号との紐付けが開放され、前記注文端末は、前記スタッフモードで起動する請求項７に記載の注文端末入力モード切替方法。
【請求項９】
前記管理端末は、前記注文端末の端末番号毎に、設定されている卓番で起動する通常据置モードと前記スタッフモードのいずれで起動するかの端末モードや、前記通常据置モードで起動する場合の卓番を設定した端末情報を記憶し、
前記注文端末は、電源投入されて前記管理端末に接続されると、自身の前記端末情報を取得し、前記スタッフモードで立ち上がるように設定されていると、前記スタッフモードで起動し、前記顧客モードへの移行後に注文された注文品の会計処理が終了すると、前記端末モードの判定を行い、前記端末モードが前記スタッフモードである場合、前記管理端末へ前記卓番と自身の端末番号との紐付け開放要求を行い、前記管理端末での紐付け開放処理後、前記スタッフモードで起動する請求項８に記載の注文端末入力モード切替方法。
【請求項１０】
前記管理端末は、前記顧客の初期情報を受信して、入力すべき情報が入力されていない等の異常がないかを確認し、異常がなければ新規オーダとして受け付ける、請求項７乃至９のいずれか１つに記載の注文端末入力モード切替方法。
【発明の詳細な説明】
【技術分野】
【０００１】
本発明は、飲食店等の店舗で使用されるオーダエントリシステムに関する。
【背景技術】
【０００２】
この種の従来のオーダエントリシステムは、店員によって操作され、顧客の注文を入力する多数のハンディターミナルと、厨房に設置され、顧客の注文情報を出力するキッチンプリンタと、顧客の注文の会計処理を行うＰＯＳ（Point of Sales）端末と、顧客の注文を管理し、顧客の注文情報をキッチンプリンタやＰＯＳ端末に送信する管理端末と、を備えている。ＰＯＳ端末、管理端末、及びキッチンプリンタは、有線通信で互いに接続される。一方、ハンディターミナルは、無線通信で、システムに接続される。
【０００３】
このようなオーダエントリシステムにおいて、人件費を削減し、店員の負担を低減させるため、各テーブルに、客が自ら注文を行うことができるセルフオーダ端末（客用注文端末）が開発されている。セルフオーダ端末は、セルフ端末とも呼ばれる。この場合、ハンディターミナルと同様に、セルフ端末は、無線通信で、システムに接続される。
【０００４】
従来から、種々のオーダエントリシステムが提案されている。
【０００５】
例えば、特開２００４−１３２５４号公報（特許文献１）は、客用注文端末（セルフ端末）と店員用注文端末（ハンディターミナル）とを使い分けることで、的確な入店処理と、客が自らオーダを行うセルフオーダにおけるサービスの質の向上とを実現させることができる「注文管理システム」を開示している。この特許文献１に開示された注文管理システムでは、客係の店員が、店員用端末（ハンディターミナル）のキーボードのキー操作により入店処理を行い、その入店処理が終了した後に、客係の店員により所定のテーブルに案内された客が、テーブル上に備えられている客用注文端末（セルフ端末）の操作キーのキー操作により自らオーダを行っている。また、注文の取消しを、店員用端末（ハンディターミナル）で行っている。
【０００６】
また、特開２００９−４２８７１号公報（特許文献２）は、接客係の店員用の注文端末（ハンディターミナル）を、顧客用の注文端末（セルフ端末）としても使用できるようにした「注文端末及びオーダエントリシステム」を開示している。この特許文献２では、店員が使用する注文端末にＲＦＩＤリーダライタを接続するだけで、その注文端末がテーブルコードの入力機能が制限された顧客モードに移行するようになっている。注文端末は、「店員モード」と「顧客モード」とに移行することができる。「店員モード」において、注文端末を顧客に渡す前に、接客係の店員は、その顧客のテーブルコードと人数とをキーボードによって入力する。次に、携帯しているＲＦＩＤリーダライタを接続することによって、注文端末は「顧客モード」に移行する。尚、「店員モード」は「スタッフモード」とも呼ばれる。
【０００７】
特開２０１１−５３８２５号公報（特許文献３）は、低コストで容易に導入可能な客がオーダを行うための「通信装置」を開示している。この特許文献３では、店員用注文モードと客用注文モードとの間でのハンディターミナルのアプリケーションの切り替えを、予め設定されたいずれかの切替えボタンを押す等の操作ボタンユニットを操作することにより、行っている。尚、店員用注文モードおよび客用注文モードは、それぞれ、スタッフモードおよび顧客モードに対応する。
【０００８】
更に、特開２００７−１４１１２０号公報（特許文献４）は、注文担当店員が注文情報を入力するための店員用入力画面と顧客が注文情報を入力するための客用入力画面とを選択的にタッチパネル付き表示器に表示し、タッチパネル付き表示器のタッチ操作により注文情報の入力を受けるようにしたハンディターミナルを開示している。この特許文献４では、ハンディターミナルをクレードルへセットしたり、切替キーを押下したり、スイッチをオン／オフすることにより、入力画面を店員用入力画面から客用入力画面に切り替えるようにしている。尚、店員用入力画面および客用入力画面は、それぞれ、スタッフモードおよび顧客モードに対応する。
【先行技術文献】
【特許文献】
【０００９】
【特許文献１】特開２００４−１３２５４号公報
【特許文献２】特開２００９−４２８７１号公報
【特許文献３】特開２０１１−５３８２５号公報（段落［００２９］）
【特許文献４】特開２００７−１４１１２０号公報（図７、段落［００３４］〜［００３８］）
【発明の概要】
【発明が解決しようとする課題】
【００１０】
上述した特許文献１〜４には、次に述べるような問題点がある。
【００１１】
特許文献１に開示された注文管理システムでは、ハンディターミナルを使用して入店処理を行っているので、ハンディターミナルの台数を減少させることができない。また、特許文献１に開示された客用注文端末（セルフ端末）は、専ら顧客が自らオーダを行うための機能しか有していないので、セルフ端末を使用して、来店客に関する情報を入力することができない。
【００１２】
特許文献２では、店員用注文端末（ハンディターミナル）を顧客用注文端末（セルフ端末）として使用するために、ＲＦＩＤリーダライタを接続する必要がある。換言すれば、特許文献２では、注文入力モードを「スタッフモード」から「顧客モード」へ切り替えるために、ＲＦＩＤリーダライタを注文端末に接続する必要がある。
【００１３】
特許文献３でも、注文入力モードを「スタッフモード」から「顧客モード」へ切り替えるために、切替えボタンが必要である。特許文献４においても、注文入力モードを「スタッフモード」から「顧客モード」へ切り替えるために、クレードルや、切替キー、スイッチなどのハードウェア（部品）を必要とする。
【００１４】
すなわち、特許文献２〜４のいずれにおいても、「スタッフモード」から「顧客モード」へ切り替えるために、何らかの専用のハードウェア（部品）を必要とする。
【００１５】
したがって、本発明の課題は、専用のハードウェア（部品）を使用することなく、「スタッフモード」から「顧客モード」への切り替えを行う、注文端末およびそれを使用したオーダエントリシステムを提供することにある。
【課題を解決するための手段】
【００１６】
本発明によるオーダエントリシステムは、顧客の注文を入力する注文端末と顧客の注文を管理する管理端末とを有するオーダエントリシステムであって、注文端末は、入力モードとして、店員が操作するスタッフモードと顧客が操作する顧客モードとのいずれかで動作し、スタッフモードで入力された少なくとも卓番を含む顧客の初期情報のみを管理端末に送信し、管理端末で新規オーダとして受け付けられると、新規オーダとして受け付けられたことを契機として、自動的に入力モードがスタッフモードから顧客モードに移行して注文入力が可能となることを特徴とする。
【００１７】
本発明による注文端末入力モード切替方法は、顧客の注文を入力する注文端末と顧客の注文を管理する管理端末とを有するオーダエントリシステムにおいて、入力モードとして、店員が操作するスタッフモードと顧客が操作する顧客モードとのいずれかで動作する、注文端末の前記入力モードを切り替える方法であって、スタッフモードで入力された少なくとも卓番を含む顧客の初期情報のみが管理端末に送信され、管理端末で新規オーダとして受け付けられると、新規オーダとして受け付けられたことを契機として、自動的に入力モードをスタッフモードから顧客モードに切り替えて注文入力が可能となることを特徴とする。
【発明の効果】
【００１８】
本発明によれば、オーダエントリシステムで使用される注文端末において、少なくとも卓番を含む顧客の初期情報のみを管理端末に送信するだけで、専用のハードウェア（部品）を使用することなく、「スタッフモード」から「顧客モード」への切り替えを行うことができる。
【図面の簡単な説明】
【００１９】
【図１】本発明の一実施の形態に係るオーダエントリシステムを示すブロック図である。
【図２】図１に示したオーダエントリシステムの、セルフ端末、管理端末、およびＰＯＳ端末の動作を説明するためのシーケンス図である。
【図３】図１に示したオーダエントリシステムに使用されるセルフ端末のタッチパネル付き表示器に表示される空卓番の表示例を示す図である。
【図４】図１に示したオーダエントリシステムに使用されるセルフ端末のタッチパネル付き表示器に表示される、顧客の初期情報を入力するための画面例を示す図である。
【図５】図１に示したオーダエントリシステムに使用されるセルフ端末のタッチパネル付き表示器に表示される、飲食モードを選択するための画面例を示す図である。
【図６】図１に示したオーダエントリシステムに使用される管理端末に格納されているメニューマスタを示す図である。
【発明を実施するための形態】
【００２０】
次に、発明を実施するための形態について、図面を参照して詳細に説明する。
【００２１】
図１を参照して、本発明の一実施の形態に係るオーダエントリシステム１０について説明する。
【００２２】
図示のオーダエントリシステム１０は、飲食店等の店舗で使用されるオーダエントリシステムである。オーダエントリシステム１０は、店員によって操作され、顧客の注文を入力する複数台のハンディターミナル１１と、厨房に設置され、顧客の注文情報を出力するキッチンプリンタ１２と、顧客の注文の会計処理を行うＰＯＳ（Point of Sales）端末１３と、顧客の注文を管理し、顧客の注文情報をキッチンプリンタ１２やＰＯＳ端末１３に送信する管理端末１４と、顧客が自ら注文を行うことができる複数台のセルフ端末１５と、を備えている。
【００２３】
本実施の形態では、ハンディターミナル１１で従来行っていた顧客管理上の一部の操作をセルフ端末１５で行うようにしている。従って、ハンディターミナル１１の台数を削減することができる。
【００２４】
セルフ端末１５は、基本的に顧客自身が操作するための注文端末であるため、会計情報の管理などの操作は、ハンディターミナル１１やＰＯＳ端末１３を使用して行う必要がある。具体的には、注文の取消し操作や座席の移動などの操作は、ハンディターミナル１１やＰＯＳ端末１３を使用して行う。
【００２５】
セルフ端末１５は、「スタッフモード」と「顧客モード」とを切り替えて使用することが可能な、注文端末である。スタッフモードとは、店員が操作するモードであり、顧客モードとは、顧客が操作するモードである。セルフ端末１５は、タッチパネル付き表示器（図示せず）を備える。タッチパネル付き表示器は、セルフ画面とも呼ばれる。スタッフモードでは、タッチパネル付き表示器（セルフ画面）は、店員が顧客の初期情報（後述する）を入力するための店員用入力画面となる。一方、顧客モードでは、タッチパネル付き表示器（セルフ画面）は、顧客が注文情報を入力するための客用入力画面となる。
【００２６】
ＰＯＳ端末１３、管理端末１４、及びキッチンプリンタ１２は、有線通信で互いに接続される。一方、ハンディターミナル１１およびセルフ端末１５は、無線基地局１６を介して、システムに接続される。
【００２７】
尚、キッチンプリンタ１２の代わりに、顧客の注文情報を表示するキッチンディスプレイを使用してもよい。また、ＰＯＳ端末１３が管理端末１４の機能を備えている場合、管理端末１４がなくてもよい。
【００２８】
セルフ端末１５は、スタッフモードで店員によって顧客の初期情報が入力されると、自動的にスタッフモードから顧客モードに移行する。この顧客モードとなった後、セルフ端末１５は、顧客によって注文を入力することが可能となる。
【００２９】
次に、図２を参照して、セルフ端末１５、管理端末１４、およびＰＯＳ端末１３の動作について説明する。
【００３０】
顧客が来店すると、受付にて店員が顧客を客席まで案内する。そのときに、店員は、セルフ端末１５を受付から持ち出して、顧客を客席まで案内する。そして、セルフ端末１５の電源がＯＮされると（ステップＳ１０１）、セルフ端末１５は管理端末１４に接続される（ステップＳ１０２）。管理端末１４は、セルフ端末１５の端末情報をセルフ端末１５へ送信する（ステップＳ２０１）。これにより、セルフ端末１５は、自身の端末情報を取得する。
【００３１】
管理端末１４には、端末番号毎にＩＰ番号、通常据置モードとスタッフモードのいずれで立ち上がるかの情報、通常据置モードで立ち上がる場合の卓番等を設定した端末情報が記憶されている。
【００３２】
当該セルフ端末１５が端末モードとして通常据置モードで立ち上がるように設定されているとする（ステップＳ１０３の「通常据置モード」）。この場合、セルフ端末１５を設定されている卓番で起動し（ステップＳ１０４）、セルフ端末１５はセルフ端末として使用される。この場合は、従来通り、顧客の初期情報は、店員のハンディターミナル１１によって入力される。その後、顧客がセルフ端末１５を使用して注文をすることが可能となる。
【００３３】
当該セルフ端末１５がスタッフモードで立ち上がるように設定されているとする（ステップＳ１０３の「スタッフモード」）。この場合、セルフ端末１５は、図３に示されるように、タッチパネル付き表示器に空卓番を表示する（ステップＳ１０５）。すなわち、当該セルフ端末１５以外の他のセルフ端末の端末番号と紐付けられていない卓番号が、タッチパネル付き表示器に表示される。
【００３４】
管理端末１４は、卓が空いているか、占有されているかを管理しており、それに基づいて、セルフ端末１５は空いている卓番を表示する。尚、図示していないが、セルフ端末１５は、空卓番の情報を、空卓番を表示する前に管理端末１４から取得する。
【００３５】
また、店員のみがスタッフモードで入力可能となるように、空卓番をタッチパネル付き表示器に表示する前に、店員のみが知る暗証番号もしくはパスワードを入力する画面をタッチパネル付き表示器に表示し、正しい暗証番号もしくはパスワードが入力されたことが確認された後に、空卓番をタッチパネル付き表示器に表示するようにしてもよい。
【００３６】
店員がいずれかを押下して卓番を選択する（ステップＳ１０６）。図３に示す例では、店員が「１６」の卓番を選択している。この選択された卓番は、管理端末１４へ送られる。管理端末１４は、卓番をチェックする（ステップＳ２０２）。先に他のセルフ端末で卓番が選択された場合、ＮＧとなり、当該セルフ端末１５のタッチパネル付き表示器にエラーが表示され（ステップＳ１０７）、空卓番の表示に戻る。
【００３７】
一方、卓番チェックがＯＫの場合（ステップＳ２０２のＯＫ）、管理端末１４は卓設定処理を行い（ステップＳ２０３）、端末番号と卓番とを紐付ける。
【００３８】
管理端末１４による卓設定処理後、当該セルフ端末１５のタッチパネル付き表示器には、図４に示されるような、顧客の初期情報を入力するための画面が表示され、店員は顧客の人数等を入力する（ステップＳ１０８）。
【００３９】
図４において、「人数」は顧客の総人数を入力するための欄であり、「未成年」は顧客中の未成年者の人数を入力するための欄であり、「席料」は子供を除く大人の人数（大人のみ席料が発生する）を入力するための欄であり、「お通し」は酒類を注文する予定の人数（お通しは酒類を注文する人のみに出す）を入力するための欄であり、「ドライバー」は未成年者を除いた後の顧客中のドライバーの人数を入力するための欄である。
【００４０】
ここで、図４はあくまでも顧客の初期情報を入力するための画面の一例である。したがって、顧客の初期情報は、店舗の形態などによって適宜選定される情報である。尚、本明細書中において、「顧客の初期情報」とは、卓番を含み、従来、顧客がセルフ端末で注文を行えるようになるまでに、店員によってハンディターミナル１１を使用して入力されていた、店員によって入力されるべき情報である。
【００４１】
上記顧客の人数等の入力後、当該セルフ端末１５のタッチパネル付き表示器には、図５に示されるような、飲食モードを選択するための画面が表示され、いずれかの飲食モードを押下する（ステップＳ１０９）。
【００４２】
図５は、飲食モードとして、「通常モード」と「飲み放題モード」を選択可能な例を示している。デフォルト（初期設定）では、「通常モード」が選択されている。ここで、「通常モード」とは、注文できるメニューに制限がないモードである。「飲み放題モード」とは、注文できる飲み物のメニューに制限があるモードである。「飲み放題モード」が選択された場合、当該セルフ端末１５のタッチパネル付き表示器に注文できる飲み物のメニューのみを表示する等によって、注文できる飲み物を制限する。「通常モード」と「飲み放題モード」のいずれかが選択されたかの情報も、顧客の初期情報である。
【００４３】
なお、図５には図示されていないが、飲食モードとして「食べ放題モード」を選択するようにすることもできる。「食べ放題モード」は、注文できる食べ物のメニューに制限があるモードである。「食べ放題モード」が選択された場合、当該セルフ端末１５のタッチパネル付き表示器に注文できる食べ物のメニューのみを表示する等によって、注文できる食べ物を制限する。「飲み放題モード」と「食べ放題モード」とを、「放題モード」と総称する。
【００４４】
飲食モードの入力後、入力された情報が顧客の初期情報として管理端末１４へ送信される。換言すれば、管理端末１４は、顧客の初期情報を受信する（ステップＳ２０４）。入力すべき情報が入力されていない等の異常がなければ、管理端末１４は、新規顧客による新規オーダとして受け付け、記憶する（ステップＳ２０５のＯＫ）。
【００４５】
管理端末１４によって新規顧客による新規オーダとして受け付けられると、当該セルフ端末１５は、入力モードを「スタッフモード」から自動的に「顧客モード」に移行し（ステップＳ１１０）、当該セルフ端末１５を使用した顧客による注文が可能となる（ステップＳ１１１）。
【００４６】
なお、図２中では、セルフ端末１５で注文を行い、注文情報が１回のみ記載されているが、顧客による注文が複数回あれば、これが複数回繰り返される。顧客の注文は、卓番に紐付けられて管理される。
【００４７】
管理端末１４は、注文情報を記憶する（ステップＳ２０６）。
【００４８】
セルフ端末１５若しくはハンディターミナル１１により会計が指示されると、ＰＯＳ端末１３で会計処理が行われる（ステップＳ３０１）。
【００４９】
会計処理が終わると、セルフ端末１５は、端末モードの判定を行う（ステップＳ１１２）。端末モードが「通常据置モード」である場合（ステップＳ１１２の「通常据置モード」）、セルフ端末１５を設定されている卓番で起動する（ステップＳ１０４）。端末モードが「スタッフモード」である場合（ステップＳ１１２の「スタッフモード」）、セルフ端末１５は、管理端末１４へ卓番開放要求を送信する（ステップＳ１１３）。この卓番開放要求に応答して、管理端末１４は、卓番と端末番号の紐付け開放処理を行う（ステップＳ２０７）。
【００５０】
管理端末１４での紐付け開放処理後、セルフ端末１５は、スタッフモードで起動する（ステップＳ１１４）。
【００５１】
このように、セルフ端末１５は、顧客自身で注文商品を入力できる注文端末である。顧客として未成年者やドライバーが入店した場合、彼／彼女らへ誤って酒類の提供を行ってしまうケースがある。
【００５２】
従来のオーダエントリシステムでは、店員が注文の都度座席へ赴き、会話をしながら注文を受け付けていたため、そのようなケースを見逃すことは少なかった。
【００５３】
しかしながら、セルフ端末１５を導入したオーダエントリシステムにおいては、店員が注文商品を単に座席へ運ぶだけとなってしまうために、そのようなケースを見逃すケースが増えてしまう。
【００５４】
店舗でも啓発活動などを行っているが、提供の都度、店員が顧客に対して「未成年者か、ドライバーではないか」と聞くことは、提供時間の問題や、店員の数の問題でも難しい。
【００５５】
そこで、本実施の形態に係るオーダエントリシステム１０では、顧客の入店時に未成年者の人数やドライバーの人数を予め確認して、店員がセルフ端末１５で未成年者の人数やドライバーの人数を入力するようにしている（図２のステップＳ１０８および図４参照）。
【００５６】
セルフ端末１５を顧客モードへ移行させるための入力事項として、人数を１回だけ入力するため、店員も顧客に確認し易くなり、座席への商品の提供の都度、人数を確認するなどの不快感もない。これにより、サービス提供に関して、法令順守、人命尊重などの企業価値を高めることができる。
【００５７】
具体的な計算式は、次の通りである。 
顧客の人数＞（未成年者の人数＋ドライバーの人数）の場合は、提供制限なし、
顧客の人数＝（未成年者の人数＋ドライバーの人数）の場合は、提供制限あり。
【００５８】
図６は、管理端末１４に格納されているメニューマスタを示す図である。図６（ａ）は、食べ物類のメニューを示し、図６（ｂ）は、飲み物類のメニューを示し、図６（ｃ）は、食べ放題の対象（「食べ放題モード」で注文可能）となるメニューを示し、図６（ｄ）は、飲み放題の対象（「飲み放題モード」で注文可能）となるメニューを示す。「食べ放題モード」や「飲み放題モード」が選択された場合、対象メニューではない他のメニューは表示しない等によって、対象メニューのみ注文可能とする。
【００５９】
図６（ｂ）の飲み物類のメニューには、酒類制限フラグ欄がある。顧客の人数＝（未成年者の人数＋ドライバーの人数）の場合に、この酒類制限フラグ欄にフラグを立てて、制限される飲み物（アルコールを含む飲み物）を判別する。すなわち、酒類制限フラグ欄にフラグがたっているメニューを、セルフ端末１５のタッチパネル付き表示器の注文画面に表示しない等によって、注文できる飲み物類のメニューを制限する。
【００６０】
上述した様に、店員によって「顧客の初期情報」が入力されていないと、セルフ端末は「顧客モード」に移行せず、顧客はセルフ端末で注文を行うことができない。「顧客の初期情報」が入力されていないと、セルフ端末の入力モードを「顧客モード」に移行させないようにしたのは、以下のような理由による。
【００６１】
１）会計上必要な「席料」や「お通し」の情報が入力されていないと、会計ができず、情報入力のために顧客を待たせてしまうというトラブルが生じる。
【００６２】
２）「通常モード」と「放題モード」のいずれを選択するかの情報が入力されていないと、顧客が放題メニューのつもりで通常メニューを注文し、会計時値段の相違が判明してトラブルとなる。
【００６３】
３）「顧客の人数」、「未成年者の人数」、「ドライバーの人数」の情報が入力されていないと、提供すべきではない商品を提供してしまうという恐れがある。
【００６４】
以上説明した本発明の実施の形態においては、以下に記載するような効果を奏する。
【００６５】
第１の効果は、本実施の形態による注文端末１５では、入力モードを切り替えるための専用のハードウェア（部品）を必要としないことである。その理由は、スタッフモードで店員が顧客の初期情報を入力すると、入力モードが自動的にスタッフモードから顧客モードに移行するからである。
【００６６】
第２の効果は、ハンディターミナル１１の台数を少なくすることができることである。その理由は、店員が顧客の初期情報を入力するためのハンディターミナルが不要となるからである。
【００６７】
第３の効果は、会計時のトラブルを回避できることである。その理由は、顧客がセルフ端末１５を使用して注文を開始する際には、会計上必要となる顧客の初期情報が入力された後、顧客モードに移行するからである。
【００６８】
第４の効果は、顧客の注文に関するトラブルを回避できることである。その理由は、顧客の初期情報として、「通常モード」と「放題モード」のいずれを選択するかを入力しているからである。
【００６９】
第５の効果は、商品の提供不可を判断することができ、提供すべきではない商品の提供を防ぐことができることである。その理由は、顧客の初期情報として、顧客の人数を客層（未成年者、ドライバー等）別に分けて入力しているからである。
【００７０】
尚、セルフ端末（注文端末）１５は、コンピュータによって実現され得る。コンピュータは、周知のように、中央処理装置（ＣＰＵ）と、データを格納する記憶装置（ＲＡＭ）と、プログラムを格納するプログラム用メモリ（ＲＯＭ）と、を備えている。セルフ端末（注文端末）１５用のコンピュータは、データを入力したり、データを出力（表示）するためのタッチパネル付き表示器などの入出力装置と、無線基地局１６との間で無線通信するための無線通信装置と、を更に備えている。そして、プログラム用メモリ（ＲＯＭ）に格納されたプログラムを読み出すことにより、ＣＰＵは、図２のシーケンス図に示されるような機能を実現する。
【００７１】
以上、実施形態を参照して本発明を説明したが、本発明は上記実施形態に限定されるものではない。本発明の構成や詳細は、本発明のスコープ内で当業者が理解し得る様々な変更をすることができる。
【００７２】
例えば、上記実施の形態によるオーダエントリシステム１０では、顧客の総人数、未成年者の人数、及びドライバーの人数を、店員がスタッフモードでセルフ端末１５を使用して入力した例を挙げて説明しているが、それらの人数を、セルフ端末１５からではなく、従来通り、店員がハンディターミナル１１から入力するようにしてもよい。また、セルフ端末１５を備えず、ハンディターミナル１１のみを備えるオーダエントリシステムで、同様に、従来通り、店員がハンディターミナル１１から入力するようにしてもよい。
【００７３】
また、上記実施の形態によるオーダエントリシステム１０では、先に顧客中の未成年者の人数を入力し、その後で、未成年者の除いた後の顧客中のドライバーの人数を入力する場合を例に挙げて説明しているが、先に顧客中のドライバーの人数を入力し、その後で、ドライバーを除いた後の顧客中の未成年者の人数を入力するようにしてもよい。
【符号の説明】
【００７４】
１０    オーダエントリシステム
１１    ハンディターミナル
１２    キッチンプリンタ
１３    ＰＯＳ端末
１５    セルフ端末（注文端末）
１６    無線基地局
【図１】
0005305494.tif 000002
【図２】
0005305494.tif 000003
【図３】
0005305494.tif 000004
【図４】
0005305494.tif 000005
【図５】
0005305494.tif 000006
【図６】
0005305494.tif 000007